(57)【要約】【課題】互いに接続される端子における高い接続信頼性を維持させることが可能なコネクタ及び電源回路遮断装置を提供すること。【解決手段】第１コネクタハウジング１０と、第１コネクタハウジング１０に嵌合及び離脱される第２コネクタハウジング２０と、第１コネクタハウジング１０に設けられ、第２コネクタハウジング２０との嵌合方向に突設された板状の雄端子５０と、第２コネクタハウジング２０に設けられ、互いに対向位置に配置された接触片７１を有する側面視略Ｕ字状の雌端子２４と、を備える。雌端子２４は、第１コネクタハウジング１０に対して第２コネクタハウジング２０が嵌合及び離脱されることで一対の接触片７１の間に雄端子５０が挿抜され、第１コネクタハウジング１０は、雄端子５０に接触する接触片７１が雄端子５０から離間する方向へ変位するのを抑制する変位抑制部６２を有する。【選択図】図６
2020170662.tif 000002
【特許請求の範囲】
【請求項１】
第１コネクタハウジングと、
前記第１コネクタハウジングに嵌合及び離脱される第２コネクタハウジングと、
前記第１コネクタハウジングに設けられ、前記第２コネクタハウジングとの嵌合方向に突設された板状の雄端子と、
前記第２コネクタハウジングに設けられ、互いに対向位置に配置された一対の接触片を有する側面視略Ｕ字状の雌端子と、を備え、
前記雌端子は、前記第１コネクタハウジングに対して前記第２コネクタハウジングが嵌合及び離脱されることで前記一対の接触片の間に前記雄端子が挿抜され、
前記第１コネクタハウジングは、前記雄端子に接触する前記接触片が前記雄端子から離間する方向へ変位するのを抑制する変位抑制部を有する
ことを特徴とするコネクタ。
【請求項２】
前記雄端子は、前記第１コネクタハウジングに形成された電気絶縁性を有する絶縁板部を介してそれぞれの端子板部が電気的に絶縁状態に重ね合わされた一対の端子により構成され、
前記変位抑制部は、平面視において一対の前記端子板部を覆うように前記第１コネクタハウジングに形成された触指防止壁の内面に突設され、
前記端子板部にそれぞれ接触される前記接触片は、前記端子板部に接触する内側部分と反対側の外側部分が前記触指防止壁の内面に突設された前記変位抑制部に当接することで前記端子板部から離間する方向への変位が抑制される
ことを特徴とする請求項１に記載のコネクタ。
【請求項３】
前記雄端子は、前記第１コネクタハウジングに形成された電気絶縁性を有する絶縁板部を介してそれぞれの端子板部が電気的に絶縁状態に重ね合わされた一対の端子により構成され、
前記変位抑制部は、平面視において前記一対の端子板部を覆うように前記第１コネクタハウジングに形成された触指防止壁の上端開口部に設けられ、
前記端子板部にそれぞれ接触される前記接触片は、前記端子板部に接触する内側面と反対側の外側面が前記触指防止壁の上端開口部に設けられた前記変位抑制部に当接することで前記端子板部から離間する方向への変位が抑制される
ことを特徴とする請求項１に記載のコネクタ。
【請求項４】
前記雄端子は、前記第１コネクタハウジングに形成された電気絶縁性を有する絶縁板部を介してそれぞれの端子板部が電気的に絶縁状態に重ね合わされた一対の端子により構成され、
前記接触片は、先端が前記端子板部に徐々に近づく方向から離間する方向へ屈曲部で屈曲され、
前記変位抑制部は、前記第１コネクタハウジングに形成されて前記接触片の先端に当接する段部とされ、
前記端子板部にそれぞれ接触される前記接触片は、前記先端が前記段部に当接されて接続方向後方側への反力を受けることで、前記屈曲部が前記端子板部へ押圧付勢される
ことを特徴とする請求項１に記載のコネクタ。
【請求項５】
請求項２〜４のいずれか一項に記載のコネクタからなり、
前記一対の端子と前記雌端子とが、電源回路をオン・オフさせるスイッチ部とされている
ことを特徴とする電源回路遮断装置。
【発明の詳細な説明】
【技術分野】
【０００１】
本発明は、コネクタ及び電源回路遮断装置に関する。
【背景技術】
【０００２】
車両側に取り付けられるジャックハウジングに対してプラグハウジングが着脱されることで、プラグハウジングの音叉平板状部材で構成された端子にジャックハウジングのタブ端子が挿抜されるサービスプラグ装置が知られている（例えば、特許文献１参照）。
【先行技術文献】
【特許文献】
【０００３】
【特許文献１】特開２０１３−５８４４４号公報
【発明の概要】
【発明が解決しようとする課題】
【０００４】
ところで、プラグハウジングの音叉平板状部材で構成された端子は、タブ端子との繰り返しの挿抜、意図しない過剰変位あるいは熱等の影響によって、二股形状の音叉状部分にへたりが生じるおそれがある。すると、この端子の弾性力が弱まり、タブ端子との接触力が不足して接続信頼性が低下するおそれがある。
【０００５】
本発明は、上述した事情に鑑みてなされたものであり、その目的は、互いに接続される端子における高い接続信頼性を維持させることが可能なコネクタ及び電源回路遮断装置を提供することにある。
【課題を解決するための手段】
【０００６】
本発明の上記目的は、下記構成により達成される。
（１）  第１コネクタハウジングと、前記第１コネクタハウジングに嵌合及び離脱される第２コネクタハウジングと、前記第１コネクタハウジングに設けられ、前記第２コネクタハウジングとの嵌合方向に突設された板状の雄端子と、前記第２コネクタハウジングに設けられ、互いに対向位置に配置された一対の接触片を有する側面視略Ｕ字状の雌端子と、を備え、前記雌端子は、前記第１コネクタハウジングに対して前記第２コネクタハウジングが嵌合及び離脱されることで前記一対の接触片の間に前記雄端子が挿抜され、前記第１コネクタハウジングは、前記雄端子に接触する前記接触片が前記雄端子から離間する方向へ変位するのを抑制する変位抑制部を有することを特徴とするコネクタ。
【０００７】
上記（１）の構成のコネクタによれば、第１コネクタハウジングに第２コネクタハウジングが嵌合して雌端子と雄端子とが電気的に接続されると、雌端子の接触片は、第１コネクタハウジングの変位抑制部によって雄端子から離間する方向への変位が抑制される。これにより、雌端子と雄端子の挿抜の繰り返し、意図しない過剰変位あるいは熱の付与によって雌端子の接触片にへたりが生じて接触片が雄端子から離間するような不具合を抑制でき、雄端子と雌端子との高い接続信頼性を維持させることができる。
【０００８】
（２）  前記雄端子は、前記第１コネクタハウジングに形成された電気絶縁性を有する絶縁板部を介してそれぞれの端子板部が電気的に絶縁状態に重ね合わされた一対の端子により構成され、前記変位抑制部は、平面視において一対の前記端子板部を覆うように前記第１コネクタハウジングに形成された触指防止壁の内面に突設され、前記端子板部にそれぞれ接触される前記接触片は、前記端子板部に接触する内側部分と反対側の外側部分が前記触指防止壁の内面に突設された前記変位抑制部に当接することで前記端子板部から離間する方向への変位が抑制されることを特徴とする上記（１）に記載のコネクタ。
【０００９】
上記（２）の構成のコネクタによれば、雄端子が、第１コネクタハウジングに形成された絶縁板部を介してそれぞれの端子板部が電気的に絶縁状態に重ね合わされた一対の端子により構成される。また、変位抑制部が、一対の端子の端子板部をユーザが触るのを抑制する触指防止壁の内面に突設される。そこで、簡単な構造によって、雄端子を構成する一対の端子と雌端子との高い接続信頼性を維持させることができる。
【００１０】
（３）  前記雄端子は、前記第１コネクタハウジングに形成された電気絶縁性を有する絶縁板部を介してそれぞれの端子板部が電気的に絶縁状態に重ね合わされた一対の端子により構成され、前記変位抑制部は、平面視において前記一対の端子板部を覆うように前記第１コネクタハウジングに形成された触指防止壁の上端開口部に設けられ、前記端子板部にそれぞれ接触される前記接触片は、前記端子板部に接触する内側面と反対側の外側面が前記触指防止壁の上端開口部に設けられた前記変位抑制部に当接することで前記端子板部から離間する方向への変位が抑制されることを特徴とする上記（１）に記載のコネクタ。
【００１１】
上記（３）の構成のコネクタによれば、雄端子が、第１コネクタハウジングに形成された絶縁板部を介してそれぞれの端子板部が電気的に絶縁状態に重ね合わされた一対の端子により構成される。また、変位抑制部が、一対の端子の端子板部をユーザが触るのを抑制する触指防止壁の上端開口部に設けられる。そこで、簡単な構造によって、雄端子を構成する一対の端子と雌端子との高い接続信頼性を維持させることができる。
【００１２】
（４）  前記雄端子は、前記第１コネクタハウジングに形成された電気絶縁性を有する絶縁板部を介してそれぞれの端子板部が電気的に絶縁状態に重ね合わされた一対の端子により構成され、前記接触片は、先端が前記端子板部に徐々に近づく方向から離間する方向へ屈曲部で屈曲され、前記変位抑制部は、前記第１コネクタハウジングに形成されて前記接触片の先端に当接する段部とされ、前記端子板部にそれぞれ接触される前記接触片は、前記先端が前記段部に当接されて接続方向後方側への反力を受けることで、前記屈曲部が前記端子板部へ押圧付勢されることを特徴とする上記（１）に記載のコネクタ。
【００１３】
上記（４）の構成のコネクタによれば、雄端子が、第１コネクタハウジングに形成された絶縁板部を介してそれぞれの端子板部が電気的に絶縁状態に重ね合わされた一対の端子により構成される。また、変位抑制部が、第１コネクタハウジングに形成されて接触片の先端に当接する段部とされる。そこで、接触片の先端が変位抑制部である段部に当接して接続方向後方側への反力を受けると、その反力が接触片の屈曲部を端子板部へ押圧付勢する押圧力として付与される。これにより、接触片を端子板部へ確実に接触させることができ、雄端子を構成する一対の端子と雌端子との高い接続信頼性を維持させることができる。
【００１４】
（５）  上記（２）〜（４）のいずれか一つのコネクタからなり、前記一対の端子と前記雌端子とが、電源回路をオン・オフさせるスイッチ部とされていることを特徴とする電源回路遮断装置。
【００１５】
上記（５）の構成の電源回路遮断装置によれば、接続信頼性の高い一対の端子と雌端子とからなるスイッチ部を備えるので、高い信頼性が得られる。
【発明の効果】
【００１６】
本発明によれば、互いに接続される端子における高い接続信頼性を維持させることが可能なコネクタ及び電源回路遮断装置を提供できる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】本発明の第１実施形態に係るコネクタの斜視図である。
【図２】本第１実施形態に係るコネクタの第１コネクタハウジング及び第２コネクタハウジングの長手方向に沿う断面図である。
【図３】本第１実施形態に係る第１コネクタハウジングの分解斜視図である。
【図４】本第１実施形態に係る第２コネクタハウジングの分解斜視図である。
【図５】本第１実施形態に係るメインスイッチ部を説明するコネクタの幅方向に沿う断面図である。
【図６】本第１実施形態に係る第１コネクタハウジングと第２コネクタハウジングとを嵌合させたコネクタの幅方向に沿う断面図である。
【図７】参考例に係るコネクタの幅方向に沿う断面図である。
【図８】本発明の第２実施形態に係るコネクタの幅方向に沿う断面図である。
【図９】本発明の第３実施形態に係るコネクタの幅方向に沿う断面図である。
【図１０】図９に示したコネクタにおける嵌合時の状態を示す図であって、（ａ）及び（ｂ）はそれぞれ幅方向に沿う一部の断面図である。
【発明を実施するための形態】
【００１９】
以下、本発明に係る実施の形態の例を、図面を参照して説明する。
図１は、本発明の第１実施形態に係るコネクタ１の斜視図である。図２は、本第１実施形態に係るコネクタ１の第１コネクタハウジング１０及び第２コネクタハウジング２０の長手方向に沿う断面図である。
【００２０】
図１及び図２に示すように、本第１実施形態に係るコネクタ１は、第１コネクタハウジング１０と、第２コネクタハウジング２０とを備えている。第１コネクタハウジング１０及び第２コネクタハウジング２０は、いずれも電気絶縁性を有する合成樹脂から成形されている。第２コネクタハウジング２０は、第１コネクタハウジング１０に対して挿抜方向Ａに沿って嵌合及び離脱される。第２コネクタハウジング２０は、合成樹脂製のレバー４０を備えている。レバー４０は、第２コネクタハウジング２０に対して回動可能に設けられており、このレバー４０を回動させることで、第２コネクタハウジング２０と第１コネクタハウジング１０との間に嵌合力及び離脱力を付与する。このように、コネクタ１は、レバー４０の回動操作によって第１コネクタハウジング１０に対して第２コネクタハウジング２０を嵌合及び離脱させるレバー式のコネクタである。
【００２１】
本第１実施形態のコネクタ１は、例えば、電気自動車やハイブリッド車などの車両において、電気系統のメンテナンス等での作業安全性を確保するため、電源部と負荷との間の通電を遮断する、いわゆるサービスプラグといわれる電源回路遮断装置として用いられる。具体的には、第１コネクタハウジング１０に対して第２コネクタハウジング２０が嵌合されることで、電源部と負荷との間が通電可能とされ、第１コネクタハウジング１０から第２コネクタハウジング２０が離脱されることで、電源部と負荷との間の通電が遮断される。
【００２２】
図３は、第１コネクタハウジング１０の分解斜視図である。
図３に示すように、第１コネクタハウジング１０は、外周へ張り出すフランジ部１０ａを有しており、このフランジ部１０ａをケースに固定することで電源装置等に取り付けられる。フランジ部１０ａには、ケースへの固定側に、環状のパッキン１９が装着される。パッキン１９は、フランジ部１０ａをケースに固定することで、フランジ部１０ａとケースとの間をシールする。
【００２３】
第１コネクタハウジング１０は、上部が開放された収容筒部１２を有している。収容筒部１２は、平面視長円形状に形成されている。また、第１コネクタハウジング１０の収容筒部１２の両側部には、側壁部１１が立設されており、これらの側壁部１１には、第１コネクタハウジング１０の他端寄りに、支点突起１１ａが形成されている。
【００２４】
第１コネクタハウジング１０には、収容筒部１２の内部に、雄端子５０を構成する導電性金属材料から形成された側面視Ｌ字状のバスバーからなる一対の端子１３が設けられている。端子１３は、図３に示すように、その一端部が板状の端子板部１４とされており、端子板部１４に対して直交する方向に延びる他端部が板状の接続部１６とされている。それぞれの端子１３の端子板部１４は、第１コネクタハウジング１０の一部からなる絶縁板部１７を挟んで配置される。端子１３の接続部１６には、電源装置等から延びた電源線２が接続される。そして、第１コネクタハウジング１０の絶縁板部１７と、この絶縁板部１７を介して重ね合わされた一対の端子１３の端子板部１４とによって、第２コネクタハウジング２０との嵌合方向に突設された板状の雄端子５０が構成されている。
【００２５】
端子１３の端子板部１４には、その表面に、挿抜方向Ａに沿う複数の突条部１４ａが形成されている。本例では、それぞれの端子板部１４に６つの突条部１４ａが形成されている。これらの突条部１４ａは、互いに間隔をあけて配置されている。また、端子１３の端子板部１４には、二つの係止孔１４ｂが形成されている。
【００２６】
また、第１コネクタハウジング１０には、収容筒部１２の内部に、ハウジング１８を介して雌端子からなるサブ端子４が設けられている。このサブ端子４には、信号線３が接続される。
【００２７】
図４は、第２コネクタハウジング２０の分解斜視図である。
図４に示すように、第２コネクタハウジング２０は、外周筒部２１と、外周筒部２１の内側の内周筒部２２とを有している。第２コネクタハウジング２０には、外周筒部２１の両側面に、一対の支持軸２３が突設されている。
【００２８】
第２コネクタハウジング２０の内周筒部２２は、第１コネクタハウジング１０の収容筒部１２の外形よりも僅かに小さな平面視長円形状に形成されている。第２コネクタハウジング２０は、内周筒部２２が第１コネクタハウジング１０の収容筒部１２に嵌合されるように、収容筒部１２の上方から嵌め込まれる。そして、この内周筒部２２を収容筒部１２に嵌め込むことで、収容筒部１２が内周筒部２２と外周筒部２１との間に入り込む。
【００２９】
第２コネクタハウジング２０は、環状のシール部材３０が、外周筒部２１と内周筒部２２との間に嵌合されてロアハウジング２８により固定されている。シール部材３０は、第１コネクタハウジング１０と第２コネクタハウジング２０との嵌合時に収容筒部１２の内周面に密着し、収容筒部１２と内周筒部２２との間をシールする。
【００３０】
第２コネクタハウジング２０には、その内部に、導電性金属材料から形成された二つの雌端子２４が設けられている。雌端子２４は、一対の接点板部２５を有する側面視略Ｕ字状に形成されている。第２コネクタハウジング２０内に収容されたこれら雌端子２４は、内周筒部２２に嵌合されたロアハウジング２８により固定されている。
そして、雌端子２４の接点板部２５の間には、第１コネクタハウジング１０の雄端子５０を構成している絶縁板部１７を挟んで配置された一対の端子１３の端子板部１４が挿し込まれる。この雌端子２４の接点板部２５間に一対の端子１３の端子板部１４が挿し込まれると、一対の端子１３にそれぞれ接続された電源線２同士が雌端子２４を介して電気的に接続される。
【００３１】
第２コネクタハウジング２０の内周筒部２２の内部には、導電性金属材料から形成されたショート端子２６が設けられている。このショート端子２６は、一対の雄端子部２７を有している。このショート端子２６の雄端子部２７は、第１コネクタハウジング１０の一対のサブ端子４に接続可能とされている。このショート端子２６の雄端子部２７がサブ端子４にそれぞれ接続されると、サブ端子４に接続された信号線３同士がショート端子２６を介して電気的に接続される。
【００３２】
レバー４０は、合成樹脂から成形されたもので、一対のアーム部４１と、連結部４２とを有している。アーム部４１は、一端側が連結部４２によって連結されており、他端近傍に軸受孔４４を有している。アーム部４１の軸受孔４４には、第２コネクタハウジング２０の支持軸２３が挿入されており、これにより、レバー４０は、第２コネクタハウジング２０に対して回動可能に支持されている。レバー４０は、アーム部４１の他端が湾曲面４５を有する押圧部４６とされている。
【００３３】
第２コネクタハウジング２０に回動可能に支持されたレバー４０は、挿抜方向Ａに沿う離脱操作位置（図２参照）と、挿抜方向Ａに直交する方向に沿う本嵌合操作位置（図１参照）との間で回動する。
【００３４】
上記構成のコネクタ１は、雄端子５０と雌端子２４とからメインスイッチ部（スイッチ部）ＭＳｗが構成され、サブ端子４とショート端子２６とからサブスイッチ部ＳＳｗが構成されている（図２参照）。このコネクタ１を電源回路遮断装置として備えた電源装置等では、メインスイッチ部ＭＳｗがオン状態とされて電源線２同士が電気的に接続されることで電源回路が形成され、サブスイッチ部ＳＳｗがオン状態とされて信号線３同士が電気的に接続されることで信号回路が形成される。そして、電源回路遮断装置を備えた電源装置等では、メインスイッチ部ＭＳｗがオン状態となって電源回路が形成されたとしても、サブスイッチ部ＳＳｗがオン状態となって信号回路が形成されない限り電源回路を導通状態としないように構成されている。即ち、メインスイッチ部ＭＳｗとサブスイッチ部ＳＳｗが共にオン状態となって初めて電源回路を導通状態とすることができる。
【００３５】
次に、メインスイッチ部ＭＳｗの具体的な構造について説明する。
図５は、メインスイッチ部ＭＳｗを説明するコネクタ１の幅方向に沿う断面図である。
【００３６】
図５に示すように、第１コネクタハウジング１０の収容筒部１２は、その底部１２ａから絶縁板部１７に沿って延びるランス（可撓係止片）５１を有している。このランス５１は、その先端部に、絶縁板部１７側へ向かって突出する係止爪５２が形成されている。収容筒部１２には、絶縁板部１７と各ランス５１との間に、挿通口５３が形成されており、この挿通口５３から端子１３の端子板部１４が挿し込まれる。また、絶縁板部１７には、その上端部に、位置決め部５４が形成されている。この位置決め部５４は、その断面形状が、第２コネクタハウジング２０へ向かって窄まる先細り形状とされている。端子１３は、収容筒部１２の挿通口５３から端子板部１４を挿し込むことで第１コネクタハウジング１０に組付けられる。挿通口５３に挿し込まれる端子板部１４は、その上端が位置決め部５４に当接されて位置決めされ、絶縁板部１７に沿って配置される。この状態で、端子板部１４の係止孔１４ｂにランス５１の係止爪５２が入り込み、これにより、端子板部１４が第１コネクタハウジング１０に係止される。そして、この第１コネクタハウジング１０では、電気絶縁性を有する絶縁板部１７と、この絶縁板部１７を介してそれぞれの端子板部１４が電気的に絶縁状態に重ね合わされた一対の端子１３とから、雄端子５０が構成されている。
【００３７】
また、収容筒部１２には、二対の触指防止壁６１が形成されている。これらの触指防止壁６１は、収容筒部１２の底部１２ａから立設されており、それぞれ絶縁板部１７に対して隙間をあけて配置されている。これらの触指防止壁６１は、端子１３の端子板部１４よりも上方の第２コネクタハウジング２０側へ延在されている。これにより、触指防止壁６１の上端位置は、端子１３の端子板部１４の上端よりも上方である第２コネクタハウジング２０側とされている。これにより、第１コネクタハウジング１０では、端子１３の端子板部１４の表面側が平面視において触指防止壁６１によって覆われ、第２コネクタハウジング２０の装着側から端子板部１４へのユーザによる接触が抑制されている。つまり、この触指防止壁６１は、電源のメインスイッチ部ＭＳｗを構成する端子１３の端子板部１４に対する触指を防止する機能を有している。
【００３８】
触指防止壁６１の内面には、端子板部１４との対向側における下方側に、変位抑制部６２が突設されている。変位抑制部６２は、触指防止壁６１の肉厚を端子板部１４との対向側に厚くした部分からなるもので、端子板部１４側へ突出されている。なお、この変位抑制部６２は、第１コネクタハウジング１０と第２コネクタハウジング２０との挿抜方向Ａに沿って突設された複数の突条リブであってもよい。
【００３９】
第２コネクタハウジング２０に組付けられた雌端子２４は、図４に示すように、それぞれの接点板部２５が、挿抜方向Ａに沿って延在する複数の接触片７１を有している。これらの接触片７１を有する接点板部２５は、延在方向へ向かって互いに近接する方向へ傾斜されている。これにより、雌端子２４は、接点板部２５が先窄み形状とされている。それぞれの接点板部２５の接触片７１は、その先端が端子板部１４に徐々に近づく方向から離間する方向へ屈曲部７２で屈曲されている。そして、それぞれの接触片７１の先端部分における屈曲部７２は、互いに近接する方向へ突出する接点を構成している。
【００４０】
図６は、第１コネクタハウジング１０と第２コネクタハウジング２０とを嵌合させたコネクタ１の幅方向に沿う断面図である。
図６に示すように、メインスイッチ部ＭＳｗでは、第１コネクタハウジング１０に対して第２コネクタハウジング２０が嵌合されると、雌端子２４の接点板部２５の間に、雄端子５０が挿し込まれて互いに接続される。すると、雌端子２４の各接点板部２５の接触片７１の接点である屈曲部７２が雄端子５０を構成する端子板部１４の突条部１４ａにそれぞれ接触する。これにより、雌端子２４を介して一対の端子１３同士が導通されてメインスイッチ部ＭＳｗがオン状態となり、電源線２同士が電気的に接続されて電源回路が形成される。また、雄端子５０に雌端子２４が接続されると、雌端子２４の接点板部２５の各接触片７１の先端部分における端子板部１４に接触する内側部分と反対側の外側部分が触指防止壁６１の内面に突設された変位抑制部６２に当接する。
【００４１】
次に、コネクタ１において、第１コネクタハウジング１０に対して第２コネクタハウジング２０を嵌合及び離脱させる場合について説明する。
【００４２】
（嵌合させる場合）
第１コネクタハウジング１０に第２コネクタハウジング２０を嵌合させるには、第１コネクタハウジング１０に対して、レバー４０を離脱操作位置に配置させた第２コネクタハウジング２０を近接させる。そして、第１コネクタハウジング１０の収容筒部１２に、第２コネクタハウジング２０の内周筒部２２を嵌め込む。
【００４３】
この状態では、雌端子２４の接触片７１は、雄端子５０の端子板部１４から離間されている。つまり、メインスイッチ部ＭＳｗはオフ状態であり、電源線２同士が非接続状態とされている。また、ショート端子２６の雄端子部２７もサブ端子４から離間されている。つまり、サブスイッチ部ＳＳｗはオフ状態であり、サブ端子４に接続された信号線３同士が非接続状態とされている。
【００４４】
この状態において、離脱操作位置のレバー４０を本嵌合操作位置へ向かって回動させる。すると、レバー４０の押圧部４６の湾曲面４５が第１コネクタハウジング１０の側壁部１１に形成された支点突起１１ａに当接して摺動する。これにより、第１コネクタハウジング１０と第２コネクタハウジング２０との間に嵌合力が付与され、第２コネクタハウジング２０が第１コネクタハウジング１０に引き込まれる。
【００４５】
レバー４０が本嵌合操作位置に達すると、第１コネクタハウジング１０と第２コネクタハウジング２０とが互いに完全嵌合した本嵌合状態とされる。この本嵌合状態では、雌端子２４の接点板部２５の間に雄端子５０が挿入されて一対の端子１３の端子板部１４に接触される。つまり、メインスイッチ部ＭＳｗがオン状態となり、一対の端子１３に接続された電源線２同士が雌端子２４を介して電気的に接続される。また、ショート端子２６の雄端子部２７がサブ端子４に接続される。つまり、サブスイッチ部ＳＳｗがオン状態となり、サブ端子４に接続された信号線３同士がショート端子２６を介して電気的に接続される。
【００４６】
（離脱させる場合）
第１コネクタハウジング１０から第２コネクタハウジング２０を離脱させるには、本嵌合操作位置に配置されたレバー４０の連結部４２を把持して引き上げ、離脱操作位置へ向かって回動させる。
【００４７】
レバー４０を離脱操作位置へ向かって回動させると、レバー４０の回動に伴って、レバー４０の押圧部４６が第１コネクタハウジング１０のフランジ部１０ａの表面に当接して摺動する。これにより、第１コネクタハウジング１０と第２コネクタハウジング２０との間に離脱力が付与される。したがって、第１コネクタハウジング１０に対して本嵌合状態とされていた第２コネクタハウジング２０が第１コネクタハウジング１０から引き離されて離脱する方向へ変位する。
【００４８】
第２コネクタハウジング２０が第１コネクタハウジング１０から離脱する方向へ変位すると、まず、サブ端子４からショート端子２６の雄端子部２７が引き抜かれる。つまり、サブスイッチ部ＳＳｗがオフ状態とされ、信号線３同士の電気的接続が解除される。
【００４９】
そして、レバー４０が離脱操作位置に達し、第２コネクタハウジング２０が第１コネクタハウジング１０からさらに離脱する方向へ変位すると、一対の端子１３の端子板部１４に接触していた雌端子２４の接点板部２５が外れる。これにより、メインスイッチ部ＭＳｗがオフ状態とされ、電源線２同士の電気的接続状態が解除される。
【００５０】
その後、第１コネクタハウジング１０から第２コネクタハウジング２０を引き離すと、第２コネクタハウジング２０の内周筒部２２が第１コネクタハウジング１０の収容筒部１２から引き抜かれ、第１コネクタハウジング１０から第２コネクタハウジング２０が離脱される。
【００５１】
このように、上記の電源回路遮断装置として用いられるコネクタ１では、メインスイッチ部ＭＳｗは、サブスイッチ部ＳＳｗがオフ状態とされて信号線３同士の電気的接続状態が解除されて電源回路への通電がオフされた後にメインスイッチ部ＭＳｗがオフ状態とされて電源線２同士の電気的接続状態が解除される。これにより、電源線２同士の接続が解除されることで生じるアークやスパーク等の発生を抑制することができる。
【００５２】
ここで、参考例に係るコネクタについて説明する。
図７は、参考例に係るコネクタ１００の幅方向に沿う断面図である。
【００５３】
図７に示すように、参考例に係るコネクタ１００では、変位抑制部６２が設けられていない。つまり、このコネクタ１００では、第１コネクタハウジング１０と第２コネクタハウジング２０とが嵌合した状態で、雌端子２４の接触片７１は、雄端子５０の端子板部１４と接触する内側部分と反対側の外側部分が触指防止壁６１などの構造物のいずれにも接触しない。
【００５４】
このコネクタ１００において、第１コネクタハウジング１０と第２コネクタハウジング２０とが繰り返し嵌合及び離脱され、雌端子２４と雄端子５０との挿抜が繰り返されたり、意図せずに過剰に変位されたり、通電等によって熱が付与されると、弾性力によって雄端子５０の端子板部１４に押圧させて接触させる雌端子２４の接触片７１にへたりが生じるおそれがある。すると、雌端子２４の接点板部２５の接触片７１同士の間に雄端子５０が挿し込まれても、端子板部１４と接触片７１との間に隙間Ｇが生じ、接続信頼性が低下するおそれがある。
【００５５】
これに対して、本第１実施形態に係るコネクタ１によれば、雄端子５０に雌端子２４が接続されると、雌端子２４の接点板部２５の各接触片７１の先端部分における外側部分が変位抑制部６２に当接される。したがって、雌端子２４の接触片７１は、第１コネクタハウジング１０の変位抑制部６２によって端子板部１４から離間する方向への変位が抑制される。これにより、雌端子２４と雄端子５０の挿抜の繰り返し、意図しない過剰変位あるいは熱の付与によって雌端子２４にへたりが生じて接触片７１が端子板部１４から離間するような不具合を抑制でき、雄端子５０と雌端子２４との高い接続信頼性を維持させることができる。
【００５６】
そして、上記のコネクタ１からなる電源回路遮断装置によれば、接続信頼性の高い雄端子５０における一対の端子１３と雌端子２４とからなるメインスイッチ部ＭＳｗを備えるので、高い信頼性が得られる。
【００５７】
次に、本発明の他の実施形態に係るコネクタについて説明する。
図８は、本発明の第２実施形態に係るコネクタ１Ａの幅方向に沿う断面図である。なお、上記第１実施形態に係るコネクタ１の構成部材と略同様のコネクタ１Ａの構成部材については、同符号を付して詳細な説明を省略する。
【００５８】
図８に示すように、本第２実施形態に係るコネクタ１Ａは、触指防止壁６１における第２コネクタハウジング２０側である上端開口部が変位抑制部６２Ａとされている。即ち、このコネクタ１Ａでは、第１コネクタハウジング１０と第２コネクタハウジング２０とが嵌合されて、雄端子５０に雌端子２４が接続されると、雌端子２４の接点板部２５の各接触片７１における端子板部１４に接触する内側面と反対側の外側面が触指防止壁６１の上端開口部に設けられた変位抑制部６２Ａに当接する。
【００５９】
このコネクタ１Ａによれば、変位抑制部６２Ａが、一対の端子１３の端子板部１４をユーザが触るのを抑制する触指防止壁６１の上端開口部に設けられる。そこで、簡単な構造によって、雄端子５０を構成する一対の端子１３と雌端子２４との高い接続信頼性を維持させることができる。
【００６０】
図９は、本発明の第３実施形態に係るコネクタ１Ｂの幅方向に沿う断面図である。図１０は、図９に示したコネクタ１Ｂにおける嵌合時の状態を示す図であって、図１０の（ａ）及び図１０の（ｂ）はそれぞれ幅方向に沿う一部の断面図である。なお、上記第１実施形態に係るコネクタ１の構成部材と略同様のコネクタ１Ｂの構成部材については、同符号を付して詳細な説明を省略する。
【００６１】
図９に示すように、本第３実施形態に係るコネクタ１Ｂは、雄端子５０の端子板部１４と触指防止壁６１との間において雌端子２４の接触片７１の先端に当接する段部とされた変位抑制部６２Ｂが設けられている。この変位抑制部６２Ｂも、触指防止壁６１に一体に形成されている。
【００６２】
図１０の（ａ）に示すように、コネクタ１Ｂにおいて、第１コネクタハウジング１０と第２コネクタハウジング２０とが嵌合され、図１０の（ｂ）に示すように、接触片７１の先端が変位抑制部６２Ｂである段部に突き当たると、接触片７１には、接続方向後方側である上方に向かう反力Ｆｕが付与される。ここで、接触片７１は、先端が端子板部１４に徐々に近づく方向から離間する方向へ屈曲部７２で屈曲されている。そこで、上方への変位が規制された雌端子２４の接触片７１では、付与された反力Ｆｕが接触片７１の接点である屈曲部７２を雄端子５０の端子板部１４側へ向かう押圧力Ｆｐとなり、雄端子５０の端子板部１４に対する接触片７１の接触圧が増加される。
【００６３】
このように、本第３実施形態に係るコネクタ１Ｂによれば、接触片７１の先端が変位抑制部６２Ｂである段部に当接し、接続方向後方側への反力Ｆｕを受けると、その反力Ｆｕが接触片７１の屈曲部７２を端子板部１４へ押圧付勢する押圧力Ｆｐとして付与される。これにより、接触片７１を端子板部１４へ確実に接触させることができ、雄端子５０を構成する一対の端子１３と雌端子２４との高い接続信頼性を維持させることができる。
【００６４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６５】
例えば、上記実施形態では、電源回路遮断装置として用いられるコネクタを例に説明したが、本発明のコネクタはこれに限らない。第１コネクタハウジングに設けられ、第２コネクタハウジングとの嵌合方向に突設された板状の雄端子と、第２コネクタハウジングに設けられ、互いに対向位置に配置された一対の接触片を有する側面視略Ｕ字状の雌端子と、を備えたコネクタであれば、ジョイントコネクタ等の種々のコネクタに適用できることは云うまでもない。
【００６６】
ここで、上述した本発明に係るコネクタ及び電源回路遮断装置の実施形態の特徴をそれぞれ以下［１］〜［５］に簡潔に纏めて列記する。
［１］  第１コネクタハウジング（１０）と、
前記第１コネクタハウジング（１０）に嵌合及び離脱される第２コネクタハウジング（２０）と、
前記第１コネクタハウジング（１０）に設けられ、前記第２コネクタハウジングとの嵌合方向に突設された板状の雄端子（５０）と、
前記第２コネクタハウジング（２０）に設けられ、互いに対向位置に配置された一対の接触片（７１）を有する側面視略Ｕ字状の雌端子（２４）と、を備え、
前記雌端子（２４）は、前記第１コネクタハウジング（１０）に対して前記第２コネクタハウジング（２０）が嵌合及び離脱されることで前記一対の接触片（７１）の間に前記雄端子（５０）が挿抜され、
前記第１コネクタハウジング（１０）は、前記雄端子（５０）に接触する前記接触片（７１）が前記雄端子（５０）から離間する方向へ変位するのを抑制する変位抑制部（６２，６２Ａ，６２Ｂ）を有する
ことを特徴とするコネクタ（１，１Ａ，１Ｂ）。
［２］  前記雄端子（５０）は、前記第１コネクタハウジング（１０）に形成された電気絶縁性を有する絶縁板部（１７）を介してそれぞれの端子板部（１４）が電気的に絶縁状態に重ね合わされた一対の端子（１３）により構成され、
前記変位抑制部（６２）は、平面視において一対の前記端子板部（１４）を覆うように前記第１コネクタハウジング（１０）に形成された触指防止壁（６１）の内面に突設され、
前記端子板部（１４）にそれぞれ接触される前記接触片（７１）は、前記端子板部（１４）に接触する内側部分と反対側の外側部分が前記触指防止壁（６１）の内面に突設された前記変位抑制部（６２）に当接することで前記端子板部（１４）から離間する方向への変位が抑制される
ことを特徴とする上記［１］に記載のコネクタ（１）。
［３］  前記雄端子（５０）は、前記第１コネクタハウジング（１０）に形成された電気絶縁性を有する絶縁板部（１７）を介してそれぞれの端子板部（１４）が電気的に絶縁状態に重ね合わされた一対の端子（１３）により構成され、
前記変位抑制部（６２Ａ）は、平面視において前記一対の端子板部（１４）を覆うように前記第１コネクタハウジング（１０）に形成された触指防止壁（６１）の上端開口部に設けられ、
前記端子板部（１４）にそれぞれ接触される前記接触片（７１）は、前記端子板部（１４）に接触する内側面と反対側の外側面が前記触指防止壁（６１）の上端開口部に設けられた前記変位抑制部（６２Ａ）に当接することで前記端子板部（１４）から離間する方向への変位が抑制される
ことを特徴とする上記［１］に記載のコネクタ（１Ａ）。
［４］  前記雄端子（５０）は、前記第１コネクタハウジング（１０）に形成された電気絶縁性を有する絶縁板部（１７）を介してそれぞれの端子板部（１４）が電気的に絶縁状態に重ね合わされた一対の端子（１３）により構成され、
前記接触片（７１）は、先端が前記端子板部（１４）に徐々に近づく方向から離間する方向へ屈曲部７２で屈曲され、
前記変位抑制部（６２Ｂ）は、前記第１コネクタハウジング（１０）に形成されて前記接触片（７１）の先端に当接する段部とされ、
前記端子板部（１４）にそれぞれ接触される前記接触片（７１）は、前記先端が前記段部に当接されて接続方向後方側への反力（Ｆｕ）を受けることで、前記屈曲部（７２）が前記端子板部（１４）へ押圧付勢される
ことを特徴とする上記［１］に記載のコネクタ（１Ｂ）。
［５］  上記［２］〜［４］のいずれか一つのコネクタ（１，１Ａ，１Ｂ）からなり、前記一対の端子（１３）と前記雌端子（２４）とが、電源回路をオン・オフさせるスイッチ部（メインスイッチ部ＭＳｗ）とされている
ことを特徴とする電源回路遮断装置。
【符号の説明】
【００６７】
１，１Ａ，１Ｂ…コネクタ
１０…第１コネクタハウジング
１３…端子
１４…端子板部
１７…絶縁板部
２０…第２コネクタハウジング
２４…雌端子
５０…雄端子
６１…触指防止壁
６２，６２Ａ，６２Ｂ…変位抑制部
７１…接触片
ＭＳｗ…メインスイッチ部（スイッチ部）
【図１】
2020170662.tif 000003
【図２】
2020170662.tif 000004
【図３】
2020170662.tif 000005
【図４】
2020170662.tif 000006
【図５】
2020170662.tif 000007
【図６】
2020170662.tif 000008
【図７】
2020170662.tif 000009
【図８】
2020170662.tif 000010
【図９】
2020170662.tif 000011
【図１０】
2020170662.tif 000012